(57)【要約】【課題】縫製や裁断を行う際の基準にする基準部を明確に表示でき、しかも縫製や裁断が所定の箇所で行われているか否かの検査を容易且つ確実に行い得るストッキング類の製造方法の提供を目的とする。【解決手段】筒状体２の先端部２０ａを編成する際に、爪先線対応部２１ａ〜２１ｅ、足指境界線対応部２２ａ〜２２ｄ、親指内端対応部２３ａ及び小指外端対応部２３ｂを平編みにし、筒状体２の先端部２０ａにおけるそれら以外の他の部分を、片口タック編みによるメッシュ編みで編成する。そして、それらを基準にして縫製し、その縫製ラインに沿って裁断する。【選択図】図５
2010031430.tif 000002
【特許請求の範囲】
【請求項１】
筒状体を編成し、その筒状体の軸方向の先端部に、縫製・裁断を施すことによって、当該先端部に足指を入れる複数の袋状の足指入れ部を形成するストッキング類の製造方法であって、
前記筒状体の先端部を編成する際に、足指の爪先線に対応する爪先線対応部と、足指同士の足指境界線に対応する少なくとも１つの足指境界線対応部とを含む一部を、その筒状体の先端部における当該一部以外の他の部分と異なる編み方で編成し、
前記編成した爪先線対応部及び指境界線対応部を基準にして、前記縫製・裁断を施すことができるようにしたことを特徴とするストッキング類の製造方法。
【請求項２】
前記筒状体を、その軸方向の先端側から後端側の方向に編み立てるとともに、前記他の部分をタック編みを有する編組織に編成することを特徴とする請求項１記載のストッキング類の製造方法。
【請求項３】
前記爪先線対応部及び指境界線対応部を編成するに際し、前記他の部分と異なる色の色糸を、前記爪先線対応部と指境界線対応部との少なくとも一方に編み込むようにしたことを特徴とする請求項１又は２記載のストッキング類の製造方法。
【請求項４】
前記爪先線対応部及び指境界線対応部を基準にして二重環縫いを施すことによって、前記筒状体の先端部に、足指を入れ得る袋状部を形成し、
その後、前記二重環縫いの縫製ラインに沿って裁断して足指入れ部を形成することを特徴とする請求項１〜３のいずれか一項に記載のストッキング類の製造方法。
【発明の詳細な説明】
【技術分野】
【０００１】
本発明は、ストッキング類の製造方法、詳しくは、足指を入れる複数の足指挿入部を有するストッキング類の製造方法に関するものである。
【背景技術】
【０００２】
従来から、足指を入れる複数の足指挿入部を有するストッキング類の製造方法は、知られている。このストッキング類の製造方法として、例えば筒状体の先端部を編成する際に、爪先の先端側の線（爪先線）と指股部に対応する線（足指境界線）を形成するようにマーキング糸（色糸）を縦横に編み込み、そのマーキング糸に沿って、裁断しつつ縫製することにより、５つの足指挿入部を形成するようにした方法が提案されている（特許文献１）。
【特許文献１】特許第４０６６０７５号公報
【発明の開示】
【発明が解決しようとする課題】
【０００３】
しかしながら、筒状体の先端部を編成する際にマーキング糸を編み込む場合、通常マーキング糸を周方向（横方向）に走らせるように編み込むことになるが、その場合、周方向に編み込む距離が短くなると編み込み難い。例えば周方向と直交する軸方向（縦方向）に延びる指股部に対応する線を、マーキング糸を編み込むことによって表示しようとしても、表示できない部分が生じて部分的に破断した線になってしまう。その結果、マーキング糸による線が明確にならず、マーキング糸に沿って裁断や縫製を行い難くなってしまう場合がある。
【０００４】
又、マーキング糸に沿って縫製・裁断を行った後、縫製・裁断が所定の位置で行われているか否か、即ち、マーキング糸に沿って行われているか否かを検査する必要がある。その際、マーキング糸があると、マーキング糸を検査の基準にでき、検査を容易且つ確実に行い得る。しかし、裁断によってマーキング糸が取れてしまう場合もある。そのため、上記検査の精度が悪くなってしまうという問題点がある。
【０００５】
本発明は、縫製や裁断を行う際の基準にする基準部を明確に表示でき、しかも縫製や裁断が所定の箇所で行われているか否かの検査を容易且つ確実に行い得るストッキング類の製造方法の提供を目的とする。
【課題を解決するための手段】
【０００６】
本発明は、以上の実情に鑑み提案されたもので、次の特徴を有するストッキング類の製造方法を提供することにより、上記課題を解決する。本願の請求項１記載の発明は、筒状体を編成し、その筒状体の軸方向の先端部に、縫製・裁断を施すことによって、当該先端部に足指を入れる複数の袋状の足指入れ部を形成するストッキング類の製造方法であって、前記筒状体の先端部を編成する際に、足指の爪先線に対応する爪先線対応部と、足指同士の足指境界線に対応する少なくとも１つの足指境界線対応部とを含む一部を、その筒状体の先端部における当該一部以外の他の部分と異なる編み方で編成し、前記編成した爪先線対応部及び指境界線対応部を基準にして、前記縫製・裁断を施すことができるようにしたことを特徴とするストッキング類の製造方法である。
【０００７】
本願の請求項２記載の発明は、前記筒状体を、その軸方向の先端側から後端側の方向に編み立てるとともに、前記他の部分をタック編みを有する編組織に編成することを特徴とするストッキング類の製造方法である。
【０００８】
本願の請求項３記載の発明は、前記爪先線対応部及び指境界線対応部を編成するに際し、前記他の部分と異なる色の色糸を、前記爪先線対応部と指境界線対応部との少なくとも一方に編み込むようにしたことを特徴とするストッキング類の製造方法である。
【０００９】
本願の請求項４記載の発明は、前記爪先線対応部及び指境界線対応部を基準にして二重環縫いを施すことによって、前記筒状体の先端部に、足指を入れ得る袋状部を形成し、その後、前記二重環縫いの縫製ラインに沿って裁断して足指入れ部を形成することを特徴とするストッキング類の製造方法である。
【発明の効果】
【００１０】
本発明の請求項１によれば、筒状体の先端部を編成する際に、足指の爪先線にほぼ対応する爪先線対応部と、足指同士の足指境界線にほぼ対応する足指境界線対応部とを、前記筒状体の先端部における他の部分と異なる編み方で編成する。
【００１１】
これにより、爪先線対応部及び指境界線対応部を、筒状体の先端部における他の部分と明確且つ安定的に目視で区別でき、縫製や裁断を行う際の基準として適したものにできる。
【００１２】
また、爪先線対応部及び指境界線対応部は、裁断によってその一部が切除されるが、切除されずに残った部分は、色糸のようにほつれて取れるおそれがない。従って、残った爪先線対応部及び指境界線対応部を、縫製や裁断が所定位置に施されているか否かの検査の基準にすることもでき、縫製や裁断の検査を容易且つ確実に行うことができる。
【００１３】
請求項２によれば、筒状体を、その軸方向の先端側から後端側の方向に編み立てるとともに、前記他の部分をタック編みを有する編組織に編成する。これにより、他の部分を、縫製又は裁断箇所からほつれ難いものにできる。
【００１４】
請求項３によれば、爪先線対応部及び指境界線対応部を編成するに際し、他の部分と異なる色の色糸を、爪先線対応部と指境界線対応部との少なくとも一方に編み込むようにする。
【００１５】
これにより、爪先線対応部と指境界線対応部との少なくとも一方を、他の部分とより一層、明確に目視で区別でき、縫製や裁断を行う際の基準にし易くできる。
【００１６】
請求項４によれば、爪先線対応部及び指境界線対応部を基準にして、二重環縫いを施すことによって足指夫々を入れ得る複数の袋状部を形成し、その後、前記二重環縫いの縫製ラインに沿って裁断して足指入れ部を形成する。
【００１７】
これにより、縫製部を十分な強度を有するものにできるとともに、縫製ラインの近傍で裁断した場合でも、縫製糸がほつれるおそれの少ないものにでき、裁断後の足指入れ部に穴があくようなことを防止できる。
【発明を実施するための最良の形態】
【００１８】
以下、本発明を実施するための最良の形態について、図面を参照しながら詳細に説明する。図１は、本発明のストッキング類の製造方法により製造した一実施の形態のストッキングの平面図である。
【００１９】
この実施形態のストッキング類の製造方法により得られたストッキング１は、図１に示すように、先端側のトウ部１１と、足首部に対応する部分を有する後端側のレッグ部１３と、トウ部１１とレッグ部１３との間に形成され足裏に対応する部分及び甲に対応する部分等を有するフット部１２とから構成されている。
【００２０】
トウ部１１は、足指のほぼ付け根から爪先（先端）までに対応する部分に形成されており、この実施形態では、足指夫々を入れる５つの足指入れ部１１ａを有している。
【００２１】
このように構成されるストッキング１は、この実施形態では、編成工程、反転工程、縫製工程、裁断工程、検査工程、反転工程、仕上げ工程を経て製造される。以下、これらの工程を順次、説明する。
【００２２】
まず、編成工程は、編み機（図示せず）によって、図２に示すように、筒状体２に編成する工程である。この工程で編成される筒状体２は、その軸方向の前後の長さが、図１で示したストッキング１の長さよりもやや長い程度のものとされている。又、この実施形態では、軸方向の先端側から後端側の方向（図２のＸ方向）に編み立てられるようにして形成されている。
【００２３】
そして、この筒状体２の先端部２０ａに、上記図１のトウ部１１が形成され、そのトウ部１１の後方側の部分（中間部２０ｂ）に、上記図１のフット部１２が形成され、又、そのフット部１２の後方側の部分（基端部２０ｃ）に、上記図１のレッグ部１３が形成されるようになっている。尚、この実施形態では、筒状体２の先端部２０ａは、先端側に行くに従ってやや径が大きくなるように構成されているが、この形態のものに限らず、例えば筒状体２の軸方向の全体を同じ径に形成しても良い。
【００２４】
又、この筒状体２の上記先端部２０ａにおける上面側には、図２〜図４に示すように足指入れ部１１ａを形成するための縫製又は裁断を施す際の基準（目印）にする爪先線対応部２１ａ〜２１ｅと、足指境界線対応部２２ａ〜２２ｄとが設けられている。
【００２５】
爪先線対応部２１ａ〜２１ｅは、足の親指（第１趾）〜小指（第５趾）夫々の爪先線（足指の先端側の線）に対応した親指爪先線対応部２１ａ〜小指爪先線対応部２１ｅの５つから構成されている。この実施形態では、これらの親指爪先線対応部２１ａ〜小指爪先線対応部２１ｅは、夫々、筒状体２の周方向に沿って形成されている。
【００２６】
又、これらの親指爪先線対応部２１ａ〜小指爪先線対応部２１ｅは、この実施形態では、親指爪先線対応部２１ａが最も前方側に配設され、その親指爪先線対応部２１ａから小指爪先線対応部２１ｅにかけて順次、後方側になるように配設されている。尚、これらの爪先線対応部２１ａ〜２１ｅの互いの前後位置は、これに限らず、適宜変更できる。例えば、爪先線対応部２１ａ〜２１ｅ夫々の前後位置を揃えて一直線状に並べるようにしても良い。
【００２７】
足指境界線対応部２２ａ〜２２ｄは、隣接する２つの足指同士の足指境界線にほぼ対応した第１の足指境界線対応部２２ａ〜第４の足指境界線対応部２２ｄの４つから構成されている。
【００２８】
又、この実施形態では、親指爪先線対応部２１ａの右端から、筒状体２のほぼ軸方向に沿って、第１の足指境界線対応部２２ａとほぼ平行に、親指内端対応部２３ａが形成されている。
【００２９】
この親指内端対応部２３ａは、親指の内端にほぼ対応するように形成されているとともに、筒状体２を上方から押しつぶして上下２枚の平面状に折り畳む際の端（折り部）にする基準とされる（図６参照）。
【００３０】
更に、小指爪先線対応部２１ｅの左端から、筒状体２のほぼ軸方向に沿って、第４の足指境界線対応部２２ｄとほぼ平行に、小指外端対応部２３ｂが形成されている。
【００３１】
この小指外端対応部２３ｂは、小指の外端にほぼ対応するように形成されているとともに、筒状体２を上記のように平面状に折り畳む際の端（折り部）にする基準とされる。
【００３２】
又、これらの足指境界線対応部２２ａ〜２２ｄと、親指内端対応部２３ａ、爪先線対応部２１ａ〜２１ｅ及び小指外端対応部２３ｂとによって、筒状体２の先端部２０ａの上面に、５つのほぼ四角形状の区画部２３が区画形成されている。
【００３３】
そして、これらの爪先線対応部２１ａ〜２１ｅ、足指境界線対応部２２ａ〜２２ｄ、親指内端対応部２３ａ及び小指外端対応部２３ｂは、筒状体２の先端部２０ａの一部を構成し、上記筒状体２の先端部２０ａを編成するに際して、筒状体２の先端部２０ａにおけるその一部以外の他の部分と異なる編み方で編成されている。
【００３４】
この実施形態では、上記爪先線対応部２１ａ〜２１ｅ、足指境界線対応部２２ａ〜２２ｄ、親指内端対応部２３ａ及び小指外端対応部２３ｂは、平編みで編成され、上記他の部分は、メッシュ編みで編成されている。
【００３５】
より詳しくは、爪先線対応部２１ａ〜２１ｅ、足指境界線対応部２２ａ〜２２ｄ、親指内端対応部２３ａ及び小指外端対応部２３ｂは、図８に示すようなニット編みのみで構成される編組織からなる平編みで編成されている。これらを平編みで編成するのは、それらの爪先線対応部２１ａ〜２１ｅ、足指境界線対応部２２ａ〜２２ｄ、親指内端対応部２３ａ及び小指外端対応部２３ｂを、メッシュ編みの上記他の部分から目視で簡単に見分けることができるからである。
【００３６】
又、この実施形態では、爪先線対応部２１ａ〜２１ｅ、足指境界線対応部２２ａ〜２２ｄ、親指内端対応部２３ａ及び小指外端対応部２３ｂは、線状に編成されている。尚、その幅Ｌ（図３に図示）は、特に限定されないが、０．５ｍｍ以上、且つ、３ｍｍ以下にしておくのが好ましい。０．５ｍｍより狭くなると、上記他の部分から目視で見分け難くなってしまい、一方、３ｍｍを超えると、場所を特定し難くなって基準にし難くなってしまう。より好ましくは、１ｍｍ〜２ｍｍ程度である。
【００３７】
又、上記他の部分は、図９に示すように、片口タック編みによるメッシュ編みで編成されている。
【００３８】
尚、この実施形態では、筒状体２における上記後端部２０ｃ及び中間部２０ｂも上記他の部分と同じ片口タック編みによるメッシュ編みで編成されている。従って、この実施形態では、上記爪先線対応部２１ａ〜２１ｅ、足指境界線対応部２２ａ〜２２ｄ、親指内端対応部２３ａ及び小指外端対応部２３ｂを除く筒状体２の全体が、一様な片口タック編みによるメッシュ編みで編成されている。
【００３９】
又、この実施形態では、爪先線対応部２１ａ〜２１ｅ、足指境界線対応部２２ａ〜２２ｄ、親指内端対応部２３ａ及び小指外端対応部２３ｂには、図３に示すような色糸２４（この実施形態では赤色）が、爪先線対応部２１ａ〜２１ｅ及び足指境界線対応部２２ａ〜２２ｄの編成に際して編み込まれている。尚、図２、図４では、色糸２４を省略している。
【００４０】
以上のように編成された筒状体２は、反転工程により、裏表が逆になるように反転される（図５参照）。尚、図５、図６では、反転した状態の筒状体２として、図２に示したものと左右逆に表している。
【００４１】
次に、縫製工程について、説明する。まず、反転された筒状体２を、図５、図６に示すように親指内端対応部２３ａを左端の折り部に、小指外端対応部２３ｂを右端の折り部にして上下２層の平面状に折り畳む。これにより、平面状に折り畳んだ状態で、親指爪先線対応部２１ａが左部に、小指爪先線対応部２１ｅが右部に夫々配設されるとともに、その他の爪先線対応部２１ｂ〜２１ｄ、及び足指境界線対応部２２ａ〜２２ｄが所定位置に配設された状態にできる。
【００４２】
そして、その状態から、親指内端対応部２３ａ、爪先線対応部２１ａ〜２１ｅ、足指境界線対応部２２ａ〜２２ｄ及び小指外端対応部２３ｂを基準にして縫製糸２５によって縫製し、上層に形成された区画部２３にほぼ対応する位置に、後面開口の袋状部２６を形成する。
【００４３】
この実施形態では、縫製は、区画部２３における親指内端対応部２３ａ、足指境界線対応部２２ａ〜２２ｄ及び小指外端対応部２３ｂ夫々の内側近傍に沿うようにするとともに、爪先線対応部２１ａ〜２１ｅをやや越えた位置でＵ字状に折り返すようにして行われている。
【００４４】
又、この実施形態では、この縫製は、二重環ミシンを用いて、下層の下に出た針糸ループに他糸で作られたループを挿入する二重環縫いを施している。
【００４５】
裁断工程は、図７に示すように上記縫製工程で縫製した縫製糸２５のライン（縫製ライン）から所定距離だけ離れた外周縁部に沿って裁断する。その際、縫製が、二重環縫いによって形成されているため、縫製ラインの近傍で裁断しても、十分な強度を有し、縫製糸２５がほつれ難いものにできる。
【００４６】
検査工程は、縫製及び裁断が所定の位置に施されているか否かを、裁断後の爪先線対応部２１ａ〜２１ｅと足指境界線対応部２２ａ〜２２ｄとに基づいて行われる。
【００４７】
上記の裁断によって、爪先線対応部２１ａ〜２１ｅ、足指境界線対応部２２ａ〜２２ｄ、色糸２４は、その一部が切除される。又、その切除によって、残った色糸２４は、ほつれ易くなり、取れるおそれが生じる。しかし、爪先線対応部２１ａ〜２１ｅと足指境界線対応部２２ａ〜２２ｄにおける切除に伴い残った部分は、色糸のようにほつれて取れてしまうことがない。
【００４８】
従って、残った爪先線対応部２１ａ〜２１ｅと足指境界線対応部２２ａ〜２２ｄとを、縫製や裁断が所定位置に施されているか否かを検査する際の基準にすることができ、縫製及び裁断の検査を容易且つ確実なものにできる。
【００４９】
検査工程の後は、反転工程によって、裏表が逆になるように再度反転される（図１参照）。そして、その後、仕上げ工程として、プリセット工程、染色工程等を経て製品としての図１に示したストッキング１が得られる。
【００５０】
尚、上記実施形態では、爪先線対応部２１ａ〜２１ｅを、筒状体２の周方向に沿って直線状に形成しているが、この形態のものに限らず、例えば爪先線対応部２１ａ〜２１ｅを、湾曲状に形成しても良く、適宜変更できる。
【００５１】
又、上記実施形態では、親指内端対応部２３ａ及び小指外端対応部２３ｂを設けているが、この形態のものに限らず、例えば親指内端対応部２３ａと小指外端対応部２３ｂとの一方又は両方を設けないものとしても良く、適宜変更できる。ただし、少なくともいずれか一方を設けておけば、それを基準（折り部）にして所定位置から平面状に折り畳むことができるので、設けておくのが好ましい。
【００５２】
また、上記実施形態では、縫製を、爪先線対応部２１ａ〜２１ｅを基準にしてＵ字状（湾曲状）に施しているが、この形態のものにかぎらず、適宜変更できる。例えば上述のように爪先線対応部２１ａ〜２１ｅを湾曲状に形成し、爪先線対応部２１ａ〜２１ｅに沿って湾曲状に形成しても良い。
【００５３】
又、上記実施形態では、縫製を、親指内端対応部２３ａ及び小指外端対応部２３ｂの近傍にも施しているが、この形態のものに限らず、適宜変更できる。例えば親指内端対応部２３ａと小指外端対応部２３ｂとのいずれか一方の近傍にだけ縫製を施し、あるいは、両方の近傍に縫製を施さないようにしても良い。
【００５４】
更には、縫製を、二重環ミシンを用いて二重環縫いを施す形態のものに限らず、例えば単環縫い、あるいは手縫いを施すようにしても良く、適宜変更できる。
【００５５】
また、上記実施形態では、裁断を、縫製ラインに沿って行っているが、例えば爪先線対応部２１ａ〜２１ｅ及び足指境界線対応部２２ａ〜２２ｄに沿って行うようにしても良く、適宜変更できる。
【００５６】
又、上記実施形態では、裁断を、縫製した後に行っているが、この形態のものに限らず、適宜変更できる。例えば爪先線対応部２１ａ〜２１ｅ及び足指境界線対応部２２ａ〜２２ｄに沿って裁断し、その後、縫製を行う。あるいは、裁断しつつ縫製を施すようにしても良く、適宜変更できる。
【００５７】
また、上記実施形態では、色糸を、爪先線対応部２１ａ〜２１ｅ、足指境界線対応部２２ａ〜２２ｄ、親指内端対応部２３ａ及び小指外端対応部２３ｂに編み込んでいるが、この形態のものに限らず、色糸を編み込まない形態のものでも良く、適宜変更できる。さらには、色糸を、爪先線対応部２１ａ〜２１ｅと足指境界線対応部２２ａ〜２２ｄとに編み込み、親指内端対応部２３ａと小指外端対応部２３ｂとの一方又は両方に編み込まないようにしても良い。
【００５８】
又、上記実施形態では、爪先線対応部２１ａ〜２１ｅ及び足指境界線対応部２２ａ〜２２ｄを平編みにし、ストッキング１のトウ部１１を形成する筒状体２の先端部２０における上記他の部分を片口タック編みによるメッシュ編みで編成しているが、この形態のものに限らず、爪先線対応部２１ａ〜２１ｅ及び足指境界線対応部２２ａ〜２２ｄと、上記他の部分とを異なる編み方で編成すれば良く、適宜変更できる。
【００５９】
例えば、爪先線対応部２１ａ〜２１ｅ及び足指境界線対応部２２ａ〜２２ｄを平編みにし、上記他の部分を、図１０に示すような全口タック編みによるメッシュ編みで編成し、あるいは、上記他の部分を、図１１に示すようなフロート編みによるメッシュ編みで編成しても良い。さらには、爪先線対応部２１ａ〜２１ｅ及び足指境界線対応部２２ａ〜２２ｄを、上記のようなメッシュ編みにし、上記他の部分を平編みにしても良い。
【００６０】
ただし、筒状体２を編成する際、その軸方向のトウ部１１側の先端側から後端側（図２のＸ方向）に編立てるととともに、上記他の部分を、タック編みを有する編組織、例えば図９に示すような片口タック編みによるメッシュ編み、あるいは、図１０に示すような全口タック編みによるメッシュ編みの編組織に編成すれば、縫製又は裁断箇所からほつれ難いものにできる。従って、そのように編成するのが好ましい。
【００６１】
また、上記他の部分を、タック編みを有する編組織にする場合において、全体を、上記のように全口タック編み又は片口タック編みで編成しても良いが、例えば平編みに、タック編みとフロート編みとの一方又は両方を適宜入れて編成しても良い。
【００６２】
又、上記実施形態では、筒状体２の先端部２０における他の部分と、筒状体２の後端部及び中間部とを同じ編み方で編成したが、この形態のものに限らず、上記他の部分と、上記後端部と中間部との一方又は両方を異なる編み方で編成するようにしても良く、適宜変更できる。
【００６３】
また、上記実施形態では、５つの足指入れ部１１ａを有するストッキング１を製造しているが、この形態のものに限らず、適宜変更できる。例えば親指と、他の４本の足指とを入れる２つの足指入れ部を有するストッキングを製造するようにしても良い。また、２つの足指入れ部を形成する場合は、足指境界線対応部は、親指と第２趾との境界線に対応するものだけで構成すれば良い。
【００６４】
又、上記実施形態では、足の足首までを覆うストッキングとしたが、本発明のストッキング類は、ストッキング及び靴下を含み、又、ストッキング及び靴下の種類等についても、特に限定されず、例えば足の膝や脛までを覆うもの、タイツ、パンティストッキング等でも良い。
【図面の簡単な説明】
【００６５】
【図１】本発明のストッキング類の製造方法により製造された一実施の形態のストッキングの正面図である。
【図２】編成工程によって編成された筒状体の平面図である。
【図３】その筒状体の先端部の拡大した平面図である。
【図４】図３のＩＶ−ＩＶ線拡大端面図である。
【図５】反転させて縫製した状態の筒状体の先端部の拡大した平面図である。
【図６】図５のＶＩ−ＶＩ線拡大端面図である。
【図７】裁断した状態の筒状体の先端部の拡大した平面図である。
【図８】爪先線対応部、足指境界線対応部、親指内端対応部及び小指外端対応部を編成した平編み組織の模式図である。
【図９】筒状体の先端部における他の部分を編成した片口タック編みによるメッシュ編み組織の模式図である。
【図１０】筒状体の先端部における他の部分を全口タック編みによるメッシュ編みに編成した際のその編み組織の模式図である。
【図１１】筒状体の先端部における他の部分をフロート編みによるメッシュ編みに編成した際のその編み組織の模式図である。
【符号の説明】
【００６６】
１    ストッキング
２    筒状体
１１ａ    足指入れ部
２１ａ〜２１ｅ    爪先線対応部
２２ａ〜２２ｄ    足指境界線対応部
【図１】
2010031430.tif 000003
【図２】
2010031430.tif 000004
【図３】
2010031430.tif 000005
【図４】
2010031430.tif 000006
【図５】
2010031430.tif 000007
【図６】
2010031430.tif 000008
【図７】
2010031430.tif 000009
【図８】
2010031430.tif 000010
【図９】
2010031430.tif 000011
【図１０】
2010031430.tif 000012
【図１１】
2010031430.tif 000013